(57)【要約】【課題】  データ回収の優先順位を単一の指標で制御することができ、また、単一の指標に基づいて、限られた電力量の下で効率よくデータを回収する。【解決手段】  紛失状態にあることを検出する紛失検知部１１２と、データの価値を表す数値である価値評価指標を保持する価値情報保持部１１５を備え、紛失検知部１１２により紛失状態が検出された時に、データの価値に基づいてデータの回収順序を決定し、他の端末装置に送信する。回収順序の決定には、消費電力量テーブル１０４を用いて求めた、データの送信に必要な電力量と、電池残量計測部１０８で計測した電池残量を考慮する。【選択図】  図４
2006174072.tif 000002
【特許請求の範囲】
【請求項１】
無線により他の端末装置と通信を行う電池駆動の携帯端末装置であって、
データを記憶する記憶手段と、
紛失状態にあることを検出する紛失検出手段と、
前記記憶手段に記憶されているデータの価値を表す価値評価指標を保持する価値情報保持手段と、
前記紛失検出手段により紛失状態が検出されると、前記価値情報保持手段に保持されている価値評価指標に基づいて前記記憶手段に記憶されているデータの回収順序を決定する回収順序決定手段と、
前記回収順序決定手段により決定された回収順序に基づいて前記記憶手段に記憶されているデータを他の端末装置に送信する送信手段と
を具備することを特徴とする携帯端末装置。
【請求項２】
電池の残容量を計測する電池残量計測手段と、
データの送信に要する消費電力量を保持する消費電力量保持手段とを具備し、
前記回収順序決定手段は、
前記電池残量計測手段により計測される電池の残容量と、前記消費電力量保持手段に保持されている消費電力量と、前記価値情報保持手段に保持されている価値評価指標とに基づいて、前記記憶手段に記憶されているデータの回収順序を決定することを特徴とする請求項１記載の携帯端末装置。
【請求項３】
前記回収順序決定手段は、前記電池残量計測手段により計測される電池の残容量を容量、前記消費電力量保持手段に保持されている消費電力量を重さ、前記価値情報保持手段に保持されているデータの価値評価指標を価値としてナップザック問題を解くことにより順序付けを行うことを特徴とする請求項２記載の携帯端末装置。
【請求項４】
前記回収順序決定手段は、データ送信毎に、前記電池残量計測手段により計測される電池の残容量と、前記消費電力量保持手段に保持されている消費電力量から得られる電池の予測残容量との差が所定値以上あるか判別し、差が所定値以上ある場合、回収順序を再計算することを特徴とする請求項３記載の携帯端末装置。
【請求項５】
前記回収順序決定手段は、前記電池残量計測手段により計測される電池の残容量の範囲内で送信可能な、回収に必要な電力量当りの価値評価指標の高い順序を、データの回収順序とすることを特徴とする請求項２記載の携帯端末装置。
【請求項６】
前記記憶手段に記憶されているデータに対してユーザの指示に基づいて前記価値評価指標を設定する価値情報設定手段を具備することを特徴とする請求項１ないし５のいずれかに記載の携帯端末装置。
【請求項７】
前記価値情報設定手段は、選択されたデータに対して入力された数値を価値評価指標として設定することを特徴とする請求項６記載の携帯端末装置。
【請求項８】
前記価値情報設定手段は、前記価値評価指標に基づいて順序付けられたデータの順序を入れ換え可能としたデータの優先順位リストに対して、入れ換えられたデータの順位に基づいてデータの価値評価指標を設定する請求項６記載の携帯端末装置。
【請求項９】
前記価値情報設定手段は、既に回収対象となっているデータの各々に対して、データに対する操作の回数を操作の種別毎に集計した値を算術的に処理した操作指標を求め、操作指標当りの価値評価指標の平均に、選択されたデータの操作指標を乗算した値を規定値として入力に先立ち設定することを特徴とする請求項６ないし８のいずれかに記載の携帯端末装置。
【請求項１０】
前記価値情報設定手段は、前記データが金銭価値を持つ場合、前記金銭価値に基づいて前記価値評価指標を算出することを特徴とする請求項６ないし９のいずれかに記載の携帯端末装置。
【請求項１１】
前記価値情報設定手段は、データに対する操作の内容に基づいて、前記価値評価指標を増減することを特徴とする請求項６ないし１０のいずれかに記載の携帯端末装置。
【請求項１２】
前記価値情報設定手段は、データを送信する際に、送信先に基づいて、前記データの前記価値評価指標を増減することを特徴とする請求項１１記載の携帯端末装置。
【請求項１３】
前記価値情報設定手段は、前記価値評価指標から送信を行う際にかかるコストに応じた値を差し引いた値に基づいて、前記価値評価指標を更新することを特徴とする請求項６ないし１０のいずれかに記載の携帯端末装置。
【請求項１４】
前記回収順序決定手段により決定された回収順序に基づいて、前記記憶手段に記憶されているデータから、紛失状態が検出されたときに回収すべき回収用データを事前に作成する回収用データ作成手段と、
前記回収用データを保存する回収用データ保持手段とを具備し、
前記送信手段は、紛失状態が検出されると、前記回収用データ保持手段に保存されている回収用データを他の端末装置に送信することを特徴とする請求項１ないし１３のいずれかに記載の携帯端末装置。
【請求項１５】
送信対象となる回収用データが圧縮可能なデータであった場合に、前記回収用データを予め指定された圧縮率で圧縮する圧縮手段を具備することを特徴とする請求項１４記載の携帯端末装置。
【請求項１６】
紛失状態にあると、無線により他の端末装置にデータを送信することで携帯端末装置内のデータを回収するデータ回収方法であって、
紛失状態にあることを検出すると、データの価値を表す価値評価指標に基づいて、データの回収順序を決定し、決定された回収順序に基づいてデータを他の端末装置に送信することを特徴とするデータ回収方法。
【請求項１７】
電池の残容量と、データの送信に要する消費電力量と、前記価値評価指標とに基づいて、データの回収順序を決定することを特徴とする請求項１６記載のデータ回収方法。
【請求項１８】
前記電池の残容量を容量、前記消費電力量を重さ、前記価値評価指標を価値としてナップザック問題を解くことにより順序付けを行うことを特徴とする請求項１７記載のデータ回収方法。
【請求項１９】
データ送信毎に、前記電池の残容量と前記消費電力量から得られる電池の予測残容量との差が所定値以上あるか判別し、差が所定値以上ある場合、回収順序を再計算することを特徴とする請求項１８記載のデータ回収方法。
【請求項２０】
前記電池の残容量の範囲内で送信可能な、回収に必要な電力量当りの価値評価指標の高い順序を、データの回収順序とする請求項１７記載のデータ回収方法。
【請求項２１】
前記価値評価指標は、選択されたデータに対して数値を入力することにより設定可能とすることを特徴とする請求項１６ないし２０のいずれかに記載のデータ回収方法。
【請求項２２】
前記価値評価指標は、該価値評価指標に基づいて順序付けられ、データの順序を入れ換え可能としたデータの優先順位リストに対して、入れ換えられたデータの順位に基づいてデータの価値評価指標を設定することを特徴とする請求項２１記載のデータ回収方法。
【請求項２３】
既に回収対象となっているデータの各々に対して、データに対する操作の回数を操作の種別毎に集計した値を算術的に処理した操作指標を求め、操作指標当りの価値評価指標の平均に、選択されたデータの操作指標を乗算した値を規定値として入力に先立ち設定することを特徴とする請求項２１または２２記載のデータ回収方法。
【請求項２４】
前記データが金銭価値を持つ場合、前記金銭価値に基づいて前記価値評価指標を算出することを特徴とする請求項２１ないし２３のいずれかに記載のデータ回収方法。
【請求項２５】
前記データに対する操作の内容に基づいて、前記価値評価指標を増減することを特徴とする請求項２１ないし２４のいずれかに記載のデータ回収方法。
【請求項２６】
前記データを送信する際に、送信先に基づいて、前記データの前記価値評価指標を増減することを特徴とする請求項２５記載のデータ回収方法。
【請求項２７】
前記価値評価指標から送信を行う際にかかるコストに応じた値を差し引いた値に基づいて、前記価値評価指標を更新することを特徴とする請求項２１ないし２４のいずれかに記載のデータ回収方法。
【請求項２８】
前記決定された回収順序に基づいて、前記データから、紛失状態が検出されたときに回収すべき回収用データを事前に作成し、紛失状態が検出されると、前記回収用データを他の端末装置に送信することを特徴とする請求項２１ないし２７のいずれかに記載のデータ回収方法。
【請求項２９】
送信対象となる回収用データが圧縮可能なデータであった場合に、前記回収用データを予め指定された圧縮率で圧縮することを特徴とする請求項２８記載のデータ回収方法。
【発明の詳細な説明】
【技術分野】
【０００１】
本発明は、紛失時などに内部に保存されたデータを回収可能な携帯端末装置およびデータ回収方法に関する。
【背景技術】
【０００２】
携帯端末装置を紛失した場合、携帯端末装置内に格納されているデータも同時に失われてしまう。そこで、従来、無線通信機能を備えた携帯端末装置を紛失した場合に、携帯端末装置内のデータを回収・削除するなどして保護する方法が考えられている。
【０００３】
このような携帯端末の紛失時におけるデータ回収方法に関する従来技術として、盗難・紛失状況を検知し、装置内の重要データを、無線通信を用いて送信することでデータ保護と機密保持を行えるようにした携帯情報機器およびデータ退避方法が提案されている（例えば特許文献１参照）。
【０００４】
また、他の従来技術としては、バックアップの際における、データ回収の優先順位の決定方法に関して、ユーザがバックアップデータの日付や、移動通信端末上のメモリ容量などを意識することなくＰＩＭ機能を利用できるＰＩＭデータの管理装置および管理方法が記載されている（例えば特許文献２参照）。
【特許文献１】特開２００２−３２５２８０号公報
【特許文献２】特開２００２−３５１７２０号公報
【発明の開示】
【発明が解決しようとする課題】
【０００５】
上記従来技術では、データを回収対象とする／しないの二者択一の選択を行っているか、あるいは、データの日程・修正・参照日付等のタイムスタンプを元に自動的に優先順位を決定しているが、必ずしもユーザの意図通りにデータの回収が行われるとは限らないという問題がある。特に、カメラで撮影した画像等のデータでは、画像を撮影あるいは参照した日付よりも、撮影対象となった人物・物体等の、画像の内容に対するユーザの主観的評価が重要であり、データもしくはデータに付随するメタデータに含まれる情報に基づく評価は必ずしも適当ではない。
【０００６】
また、データ固有の情報に基づいて優先度を計算すると、画像・音声・テキスト等のデータ種別毎に異なる指標を用いて優先順位の決定に関する評価を行うことになるため、データ種別間での比較が難しくなるという問題がある。
【０００７】
そこで本発明は、データ回収の優先順位を単一の指標で制御することができ、また、単一の指標に基づいて、限られた電力量の下で効率よくデータを回収することができる携帯端末装置およびデータ回収方法を提供することを目的とする。
【課題を解決するための手段】
【０００８】
上記目的達成のため、請求項１記載の発明による携帯端末装置は、無線により他の端末装置と通信を行う電池駆動の携帯端末装置であって、データを記憶する記憶手段と、紛失状態にあることを検出する紛失検出手段と、前記記憶手段に記憶されているデータの価値を表す価値評価指標を保持する価値情報保持手段と、前記紛失検出手段により紛失状態が検出されると、前記価値情報保持手段に保持されている価値評価指標に基づいて前記記憶手段に記憶されているデータの回収順序を決定する回収順序決定手段と、前記回収順序決定手段により決定された回収順序に基づいて前記記憶手段に記憶されているデータを他の端末装置に送信する送信手段とを具備することを特徴とする。
【０００９】
また、好ましい態様として、例えば請求項２記載のように、請求項１記載の携帯端末装置において、電池の残容量を計測する電池残量計測手段と、データの送信に要する消費電力量を保持する消費電力量保持手段とを具備し、前記回収順序決定手段は、前記電池残量計測手段により計測される電池の残容量と、前記消費電力量保持手段に保持されている消費電力量と、前記価値情報保持手段に保持されている価値評価指標とに基づいて、前記記憶手段に記憶されているデータの回収順序を決定するようにしてもよい。
【００１０】
また、好ましい態様として、例えば請求項３記載のように、請求項２記載の携帯端末装置において、前記回収順序決定手段は、前記電池残量計測手段により計測される電池の残容量を容量、前記消費電力量保持手段に保持されている消費電力量を重さ、前記価値情報保持手段に保持されているデータの価値評価指標を価値としてナップザック問題を解くことにより順序付けを行うようにしてもよい。
【００１１】
また、好ましい態様として、例えば請求項４記載のように、請求項３記載の携帯端末装置において、前記回収順序決定手段は、データ送信毎に、前記電池残量計測手段により計測される電池の残容量と、前記消費電力量保持手段に保持されている消費電力量から得られる電池の予測残容量との差が所定値以上あるか判別し、差が所定値以上ある場合、回収順序を再計算するようにしてもよい。
【００１２】
また、好ましい態様として、例えば請求項５記載のように、請求項２記載の携帯端末装置において、前記回収順序決定手段は、前記電池残量計測手段により計測される電池の残容量の範囲内で送信可能な、回収に必要な電力量当りの価値評価指標の高い順序を、データの回収順序とするようにしてもよい。
【００１３】
また、好ましい態様として、例えば請求項６記載のように、請求項１ないし５のいずれかに記載の携帯端末装置において、前記記憶手段に記憶されているデータに対してユーザの指示に基づいて前記価値評価指標を設定する価値情報設定手段を具備するようにしてもよい。
【００１４】
また、好ましい態様として、例えば請求項７記載のように、請求項６記載の携帯端末装置において、前記価値情報設定手段は、選択されたデータに対して入力された数値を価値評価指標として設定するようにしてもよい。
【００１５】
また、好ましい態様として、例えば請求項８記載のように、請求項６記載の携帯端末装置において、前記価値情報設定手段は、前記価値評価指標に基づいて順序付けられたデータの順序を入れ換え可能としたデータの優先順位リストに対して、入れ換えられたデータの順位に基づいてデータの価値評価指標を設定するようにしてもよい。
【００１６】
また、好ましい態様として、例えば請求項９記載のように、請求項６ないし８のいずれかに記載の携帯端末装置において、前記価値情報設定手段は、既に回収対象となっているデータの各々に対して、データに対する操作の回数を操作の種別毎に集計した値を算術的に処理した操作指標を求め、操作指標当りの価値評価指標の平均に、選択されたデータの操作指標を乗算した値を規定値として入力に先立ち設定するようにしてもよい。
【００１７】
また、好ましい態様として、例えば請求項１０記載のように、請求項６ないし９のいずれかに記載の携帯端末装置において、前記価値情報設定手段は、前記データが金銭価値を持つ場合、前記金銭価値に基づいて前記価値評価指標を算出するようにしてもよい。
【００１８】
また、好ましい態様として、例えば請求項１１記載のように、請求項６ないし１０のいずれかに記載の携帯端末装置において、前記価値情報設定手段は、データに対する操作の内容に基づいて、前記価値評価指標を増減するようにしてもよい。
【００１９】
また、好ましい態様として、例えば請求項１２記載のように、請求項１１記載の携帯端末装置において、前記価値情報設定手段は、データを送信する際に、送信先に基づいて、前記データの前記価値評価指標を増減するようにしてもよい。
【００２０】
また、好ましい態様として、例えば請求項１３記載のように、請求項６ないし１０のいずれかに記載の携帯端末装置において、前記価値情報設定手段は、前記価値評価指標から送信を行う際にかかるコストに応じた値を差し引いた値に基づいて、前記価値評価指標を更新するようにしてもよい。
【００２１】
また、好ましい態様として、例えば請求項１４記載のように、請求項１ないし１３のいずれかに記載の携帯端末装置において、前記回収順序決定手段により決定された回収順序に基づいて、前記記憶手段に記憶されているデータから、紛失状態が検出されたときに回収すべき回収用データを事前に作成する回収用データ作成手段と、前記回収用データを保存する回収用データ保持手段とを具備し、前記送信手段は、紛失状態が検出されると、前記回収用データ保持手段に保存されている回収用データを他の端末装置に送信するようにしてもよい。
【００２２】
また、好ましい態様として、例えば請求項１５記載のように、請求項１４記載の携帯端末装置において、送信対象となる回収用データが圧縮可能なデータであった場合に、前記回収用データを予め指定された圧縮率で圧縮する圧縮手段を具備するようにしてもよい。
【００２３】
また、上記目的達成のため、請求項１６記載の発明によるデータ回収方法は、紛失状態にあると、無線により他の端末装置にデータを送信することで携帯端末装置内のデータを回収するデータ回収方法であって、紛失状態にあることを検出すると、データの価値を表す価値評価指標に基づいて、データの回収順序を決定し、決定された回収順序に基づいてデータを他の端末装置に送信することを特徴とする。
【００２４】
また、好ましい態様として、例えば請求項１７記載のように、請求項１６記載のデータ回収方法において、電池の残容量と、データの送信に要する消費電力量と、前記価値評価指標とに基づいて、データの回収順序を決定するようにしてもよい。
【００２５】
また、好ましい態様として、例えば請求項１８記載のように、請求項１７記載のデータ回収方法において、前記電池の残容量を容量、前記消費電力量を重さ、前記価値評価指標を価値としてナップザック問題を解くことにより順序付けを行うようにしてもよい。
【００２６】
また、好ましい態様として、例えば請求項１９記載のように、請求項１８記載のデータ回収方法において、データ送信毎に、前記電池の残容量と前記消費電力量から得られる電池の予測残容量との差が所定値以上あるか判別し、差が所定値以上ある場合、回収順序を再計算するようにしてもよい。
【００２７】
また、好ましい態様として、例えば請求項２０記載のように、請求項１７記載のデータ回収方法において、前記電池の残容量の範囲内で送信可能な、回収に必要な電力量当りの価値評価指標の高い順序を、データの回収順序とするようにしてもよい。
【００２８】
また、好ましい態様として、例えば請求項２１記載のように、請求項１６ないし２０のいずれかに記載のデータ回収方法において、前記価値評価指標は、選択されたデータに対して数値を入力することにより設定可能とするようにしてもよい。
【００２９】
また、好ましい態様として、例えば請求項２２記載のように、請求項２１記載のデータ回収方法において、前記価値評価指標は、該価値評価指標に基づいて順序付けられ、データの順序を入れ換え可能としたデータの優先順位リストに対して、入れ換えられたデータの順位に基づいてデータの価値評価指標を設定するようにしてもよい。
【００３０】
また、好ましい態様として、例えば請求項２３記載のように、請求項２１または２２記載のデータ回収方法において、既に回収対象となっているデータの各々に対して、データに対する操作の回数を操作の種別毎に集計した値を算術的に処理した操作指標を求め、操作指標当りの価値評価指標の平均に、選択されたデータの操作指標を乗算した値を規定値として入力に先立ち設定するようにしてもよい。
【００３１】
また、好ましい態様として、例えば請求項２４記載のように、請求項２１ないし２３のいずれかに記載のデータ回収方法において、前記データが金銭価値を持つ場合、前記金銭価値に基づいて前記価値評価指標を算出するようにしてもよい。
【００３２】
また、好ましい態様として、例えば請求項２５記載のように、請求項２１ないし２４のいずれかに記載のデータ回収方法において、前記データに対する操作の内容に基づいて、前記価値評価指標を増減するようにしてもよい。
【００３３】
また、好ましい態様として、例えば請求項２６記載のように、請求項２５記載のデータ回収方法において、前記データを送信する際に、送信先に基づいて、前記データの前記価値評価指標を増減するようにしてもよい。
【００３４】
また、好ましい態様として、例えば請求項２７記載のように、請求項２１ないし２４のいずれかに記載のデータ回収方法において、前記価値評価指標から送信を行う際にかかるコストに応じた値を差し引いた値に基づいて、前記価値評価指標を更新するようにしてもよい。
【００３５】
また、好ましい態様として、例えば請求項２８記載のように、請求項２１ないし２７のいずれかに記載のデータ回収方法において、前記決定された回収順序に基づいて、前記データから、紛失状態が検出されたときに回収すべき回収用データを事前に作成し、紛失状態が検出されると、前記回収用データを他の端末装置に送信するようにしてもよい。
【００３６】
また、好ましい態様として、例えば請求項２９記載のように、請求項２８記載のデータ回収方法において、送信対象となる回収用データが圧縮可能なデータであった場合に、前記回収用データを予め指定された圧縮率で圧縮するようにしてもよい。
【発明の効果】
【００３７】
請求項１記載の発明によれば、前記紛失検出手段により紛失状態が検出されると、回収順序決定手段によって、前記価値情報保持手段に保持されている価値評価指標に基づいて前記記憶手段に記憶されているデータの回収順序を決定し、送信手段によって、前記回収順序決定手段により決定された回収順序に基づいて前記記憶手段に記憶されているデータを他の端末装置に送信するようにしたので、データの価値を表す数値である価値評価指標に基づいて、価値の高いデータから順に回収することで、重要なデータを優先的に保護することができるという利点が得られる。
【００３８】
また、請求項２記載の発明によれば、前記回収順序決定手段によって、前記電池残量計測手段により計測される電池の残容量と、前記消費電力量保持手段に保持されている消費電力量と、前記価値情報保持手段に保持されている価値評価指標とに基づいて、前記記憶手段に記憶されているデータの回収順序を決定するようにしたので、電池の残り電力量が限られる状況下で回収を行う場合に、回収されるデータの価値評価指標の総和がなるべく高くなるよう、回収するデータを選択することができるという利点が得られる。
【００３９】
また、請求項３記載の発明によれば、前記回収順序決定手段によって、前記電池残量計測手段により計測される電池の残容量を容量、前記消費電力量保持手段に保持されている消費電力量を重さ、前記価値情報保持手段に保持されているデータの価値評価指標を価値としてナップザック問題を解くことにより順序付けを行うようにしたので、電池の残り電力量が限られる状況下で回収を行う場合に、回収されるデータの価値評価指標の総和がなるべく高くなるよう、回収するデータを選択することができるという利点が得られる。
【００４０】
また、請求項４記載の発明によれば、前記回収順序決定手段によって、データ送信毎に、前記電池残量計測手段により計測される電池の残容量と、前記消費電力量保持手段に保持されている消費電力量から得られる電池の予測残容量との差が所定値以上あるか判別し、差が所定値以上ある場合、回収順序を再計算するようにしたので、電池の残り電力量が限られる状況下で回収を行う場合に、回収されるデータの価値評価指標の総和がなるべく高くなるよう、回収するデータをより正確に選択することができるという利点が得られる。
【００４１】
また、請求項５記載によれば、前記回収順序決定手段によって、前記電池残量計測手段により計測される電池の残容量の範囲内で送信可能な、回収に必要な電力量当りの価値評価指標の高い順序を、データの回収順序とするようにしたので、電池の残り電力量が限られる状況下で回収を行う場合に、回収されるデータの価値評価指標の総和がなるべく高くなるよう、回収するデータを選択することができるという利点が得られる。
【００４２】
また、請求項６記載の発明によれば、価値情報設定手段によって、前記記憶手段に記憶されているデータに対して前記価値評価指標を設定するようにしたので、ユーザが優先順位を制御することができるという利点が得られる。
【００４３】
また、請求項７記載の発明によれば、前記価値情報設定手段によって、選択されたデータに対して入力された数値を価値評価指標として設定するようにしたので、ユーザが優先順位を制御することができるという利点が得られる。
【００４４】
また、請求項８記載の発明によれば、前記価値情報設定手段によって、前記価値評価指標に基づいて順序付けられたデータの順序を入れ換え可能としたデータの優先順位リストに対して、入れ換えられたデータの順位に基づいてデータの価値評価指標を設定するようにしたので、直接数値を入力する代わりに、他のデータとの相対的な関係を用いて価値評価指標を設定することができるという利点が得られる。
【００４５】
また、請求項９記載の発明によれば、前記価値情報設定手段によって、既に回収対象となっているデータの各々に対して、データに対する操作の回数を操作の種別毎に集計した値を算術的に処理した操作指標を求め、操作指標当りの価値評価指標の平均に、選択されたデータの操作指標を乗算した値を規定値として入力に先立ち設定するようにしたので、ユーザによってデータの価値評価指標が設定される際に、価値評価指標の推定値が規定値として提示されるため、ユーザは規定値に問題がある場合のみ訂正するだけでよく、利便性を向上させることができるという利点が得られる。
【００４６】
また、請求項１０記載によれば、前記価値情報設定手段によって、前記データが金銭価値を持つ場合、前記金銭価値に基づいて前記価値評価指標を算出するようにしたので、データが金銭価値を持つ場合は、その金額が優先順位の評価に用いられることになるため、データの持つ金銭価値の増減に応じて適切に回収を行うことができ、また、金銭価値が自明でないデータの価値評価指標をユーザが設定する際に、金銭価値という絶対的な基準によって評価されたデータと比較しながら価値評価指標を決めることができるという利点が得られる。
【００４７】
また、請求項１１記載の発明によれば、前記価値情報設定手段によって、データに対する操作の内容に基づいて、前記価値評価指標を増減するようにしたので、データに対する操作に応じて自動的に価値評価指標が増減するため、数値を直接入力する手間を軽減することができるという利点が得られる。
【００４８】
また、請求項１２記載によれば、前記価値情報設定手段によって、データを送信する際に、送信先に基づいて、前記データの前記価値評価指標を増減するようにしたので、携帯端末装置にのみ存在する可能性の高いデータを優先的に回収することができるという利点が得られる。
【００４９】
また、請求項１３記載の発明によれば、前記価値情報設定手段によって、前記価値評価指標から送信を行う際にかかるコストに応じた値を差し引いた値に基づいて、前記価値評価指標を更新するようにしたので、送受信するデータ量に応じて課金が行われる通信路でデータを送信する際に、データを送ることによるコストを差し引いてデータの価値を評価することができるという利点が得られる。
【００５０】
また、請求項１４記載によれば、回収用データ作成手段によって、前記回収順序決定手段により決定された回収順序に基づいて、前記記憶手段に記憶されているデータから、紛失状態が検出されたときに回収すべき回収用データを事前に作成しておき、紛失状態が検出されると、前記送信手段によって、前記回収用データを他の端末装置に送信するようにしたので、紛失に備えて、予め回収用データを作成しておくことで、データ送信時に回収用データの作成処理によって消費される電力量を削減することができるという利点が得られる。
【００５１】
また、請求項１５記載の発明によれば、圧縮手段によって、送信対象となる回収用データが圧縮可能なデータであった場合に、前記回収用データを予め指定された圧縮率で圧縮するようにしたので、携帯端末装置内に保存されているデータよりもサイズの小さな回収用データを送信するため、送信によって消費される電力量を削減することができ、また、送信するデータのサイズが減ることで、送信に必要な電力量当りの価値評価指標が増加し、優先的に回収させることができるという利点が得られる。
【００５２】
また、請求項１６記載によれば、紛失状態にあると、無線により他の端末装置にデータを送信することで携帯端末装置内のデータを回収するデータ回収方法であって、紛失状態にあることを検出すると、データの価値を表す価値評価指標に基づいて、データの回収順序を決定し、決定された回収順序に基づいてデータを他の端末装置に送信するようにしたので、データの価値を表す数値である価値評価指標に基づいて、価値の高いデータから順に回収することで、重要なデータを優先的に保護することができるという利点が得られる。
【００５３】
また、請求項１７記載の発明によれば、電池の残容量と、データの送信に要する消費電力量と、前記価値評価指標とに基づいて、データの回収順序を決定するようにしたので、電池の残り電力量が限られる状況下で回収を行う場合に、回収されるデータの価値評価指標の総和がなるべく高くなるよう、回収するデータを選択することができるという利点が得られる。
【００５４】
また、請求項１８記載の発明によれば、前記電池の残容量を容量、前記消費電力量を重さ、前記価値評価指標を価値としてナップザック問題を解くことにより順序付けを行うようにしたので、電池の残り電力量が限られる状況下で回収を行う場合に、回収されるデータの価値評価指標の総和がなるべく高くなるよう、回収するデータを選択することができるという利点が得られる。
【００５５】
また、請求項１９記載によれば、データ送信毎に、前記電池の残容量と前記消費電力量から得られる電池の予測残容量との差が所定値以上あるか判別し、差が所定値以上ある場合、回収順序を再計算するようにしたので、電池の残り電力量が限られる状況下で回収を行う場合に、回収されるデータの価値評価指標の総和がなるべく高くなるよう、回収するデータをより正確に選択することができるという利点が得られる。
【００５６】
また、請求項２０記載の発明によれば、前記電池の残容量の範囲内で送信可能な、回収に必要な電力量当りの価値評価指標の高い順序を、データの回収順序としたので、電池の残り電力量が限られる状況下で回収を行う場合に、回収されるデータの価値評価指標の総和がなるべく高くなるよう、回収するデータを選択することができるという利点が得られる。
【００５７】
また、請求項２１記載の発明によれば、前記価値評価指標を、選択されたデータに対して数値を入力することにより設定可能としたので、ユーザが優先順位を制御することができるという利点が得られる。
【００５８】
また、請求項２２記載によれば、前記価値評価指標を、該価値評価指標に基づいて順序付けられ、データの順序を入れ換え可能としたデータの優先順位リストに対して、入れ換えられたデータの順位に基づいてデータの価値評価指標を設定するようにしたので、直接数値を入力する代わりに、他のデータとの相対的な関係を用いて価値評価指標を設定することができるという利点が得られる。
【００５９】
また、請求項２３記載の発明によれば、既に回収対象となっているデータの各々に対して、データに対する操作の回数を操作の種別毎に集計した値を算術的に処理した操作指標を求め、操作指標当りの価値評価指標の平均に、選択されたデータの操作指標を乗算した値を規定値として入力に先立ち設定するようにしたので、ユーザによってデータの価値評価指標が設定される際に、価値評価指標の推定値が規定値として提示されるため、ユーザは規定値に問題がある場合のみ訂正するだけでよく、利便性を向上させることができるという利点が得られる。
【００６０】
また、請求項２４記載の発明によれば、前記データが金銭価値を持つ場合、前記金銭価値に基づいて前記価値評価指標を算出するようにしたので、データが金銭価値を持つ場合は、その金額が優先順位の評価に用いられることになるため、データの持つ金銭価値の増減に応じて適切に回収を行うことができ、また、金銭価値が自明でないデータの価値評価指標をユーザが設定する際に、金銭価値という絶対的な基準によって評価されたデータと比較しながら価値評価指標を決めることができるという利点が得られる。
【００６１】
また、請求項２５記載によれば、前記データに対する操作の内容に基づいて、前記価値評価指標を増減するようにしたので、データに対する操作に応じて自動的に価値評価指標が増減するため、数値を直接入力する手間を軽減することができるという利点が得られる。
【００６２】
また、請求項２６記載の発明によれば、前記データを送信する際に、送信先に基づいて、前記データの前記価値評価指標を増減するようにしたので、携帯端末装置にのみ存在する可能性の高いデータを優先的に回収することができるという利点が得られる。
【００６３】
また、請求項２７記載の発明によれば、前記価値評価指標から送信を行う際にかかるコストに応じた値を差し引いた値に基づいて、前記価値評価指標を更新するようにしたので、送受信するデータ量に応じて課金が行われる通信路でデータを送信する際に、データを送ることによるコストを差し引いてデータの価値を評価することができるという利点が得られる。
【００６４】
また、請求項２８記載によれば、前記決定された回収順序に基づいて、前記データから、紛失状態が検出されたときに回収すべき回収用データを事前に作成し、紛失状態が検出されると、前記回収用データを他の端末装置に送信するようにしたので、紛失に備えて、予め回収用データを作成しておくことで、データ送信時に回収用データの作成処理によって消費される電力量を削減することができるという利点が得られる。
【００６５】
また、請求項２９記載の発明によれば、送信対象となる回収用データが圧縮可能なデータであった場合に、前記回収用データを予め指定された圧縮率で圧縮するようにしたので、携帯端末装置内に保存されているデータよりもサイズの小さな回収用データを送信するため、送信によって消費される電力量を削減することができ、また、送信するデータのサイズが減ることで、送信に必要な電力量当りの価値評価指標が増加し、優先的に回収させることができるという利点が得られる。
【発明を実施するための最良の形態】
【００６６】
以下、本発明の実施の形態を、図面を参照して説明する。
【００６７】
Ａ．第１実施形態
Ａ−１．第１実施形態の構成
図１は、本発明の第１実施形態による携帯端末装置の構成を示すブロック図である。図において、データ受信部１０６は、無線回線等を介して外部からの紛失通知を受信し、紛失検知部１１２へ供給する。紛失検出センサ１０７は、紛失状態にあることを携帯端末装置自体が自動的に検出するためのセンサであり、紛失通知を紛失検知部１１２へ供給する。該紛失検出センサ１０７としては、ＧＰＳを用いて一定位置に長時間留まっていることを検出する等、様々な構成の装置を使用してよい。
【００６８】
二次記憶装置１０５は、価値情報保持部１１５およびデータ保持部１１６からなる。価値情報保持部１１５は、データ保持部１１６に格納されているデータに対する価値に関するメタデータを保持するテーブルであり、図２に示すように、データ毎に、データ名、データ種別、回収対象とするか否かを示す回収フラグ、価値評価指標、サイズから構成されている。データ保持部１１６は、画像、文書等の様々なデータを保持する。
【００６９】
紛失検出部１１２は、紛失検知センサ１０７からの紛失通知や、データ受信部１０６を通じて他の端末からの紛失通知を受け取り、携帯端末装置の紛失状態を検出する。回収順序決定部１１３は、紛失検出部１１２が紛失状態を検出したときに動作を開始し、価値情報保持部１１５を参照し、データ保持部１１６に格納されたデータの回収順序を決定する。データ送信部１０９は、回収順序決定部１１３により決定された回収順序に従って、データ保持部１１６に保持されている各種データを外部へ送信する。
【００７０】
なお、回収順序決定部１１３と紛失検知部１１２は、情報処理装置１０２内の別々のブロックとして表現されているが、ソフトウェアとして実現される場合、単一のプログラムであってよい。
【００７１】
Ａ−２．第１実施形態の動作
次に、第１実施形態によるデータ回収について説明する。ここで、図３は、本第１実施形態によるデータ回収の手順を説明するフローチャートである。紛失検知部１１２が紛失状態を検出すると、情報処理装置１０２は、価値情報保持部１１５を参照し、回収対象とないっているデータのうち、サイズ当りの価値（単価）が最も高いものを１つ選択する（ステップＳ１０）。次に、選択したデータをデータ保持部１１６から取り出し、データ送信部１０９を通じて他の端末に送信する（ステップＳ１２）。送信手順は、周知のものであってよい。例えば、回収するデータの種別が画像・音声・テキスト等のデータである場合には、電子メールを用いて、予め指定した宛先に送信するようにしてもよい。あるいは回収するデータの種別が電子マネー・プリペイドポイント・著作権管理されたデータ等である場合には、他の端末との間でトランザクション処理を行うようにしてもよい。
【００７２】
次に、価値情報保持部１１５の回収フラグをクリアすることで、送信が完了したデータを回収対象から除外する（ステップＳ１４）。この際、送信が完了したデータをデータ保持部１１６から削除してもよい。次に、価値情報保持部１１５を参照し、回収対象となっているデータがまだ存在するか否か、すなわち回収対象のデータを全て送信したか否かを判定する（ステップＳ１６）。そして、存在する場合には、ステップＳ１０へ戻り、回収処理を継続する。一方、存在しない場合には、回収の終了を、データ送信部１０９を通じて他の端末に通知して当該処理を終了する（ステップＳ１８）。終了通知には、送信されたデータの一覧等の回収処理に関わる情報が含まれる。
【００７３】
Ｂ．第２実施形態
次に、本発明の第２実施形態について説明する。
Ｂ−１．第２実施形態の構成
図４は、本発明の第２実施形態による携帯端末装置の構成を示すブロック図である。なお、図１に対応する部分には同一の符号を付けて説明を省略する。図４において、電池１１０は、各部へ駆動用の電力を供給する。電池残量計測部１０８は、電池１１０の電池残量を計測し、回収順序決定部１１３へ通知する。価値情報保持部１１５は、データ保持部１１６に格納されているデータに対する価値に関するメタデータを保持するテーブルであり、図５に示すように、回収対象であるデータ毎に、データ名、データ種別、回収対象とするか否かを示す回収フラグ、価値評価指標、サイズから構成されている。
【００７４】
消費電力量テーブル１０４は、図６に示すように、データ種別、基本電力量、サイズ当り電力量から構成されている。データの回収に要する電力量は、そのデータの種別に対応する、基本電力量と、サイズ当り電力量に回収データの容量を乗算した値との和とする。なお、消費電力量テーブル１０４の保持する基本電力量、サイズ当り電力量の各列の値は、無線通信手段の通信路の状態が良好であると仮定するなど、一定の条件の下で測定した場合の値である。そのため、計算に先立ち、消費電力量テーブル１０４の値に、通信路の品質に応じて係数を乗算する。
【００７５】
回収順序決定部１１３は、紛失検出部１１２が紛失状態を検出したときに動作を開始し、電池残量計測部１０８から電池残量を取得し、消費電力量テーブル１０４を参照して回収に必要な電力量を計算し、価値情報保持部１１５を参照してデータ保持部１１６に格納されたデータの回収順序を決定する。
【００７６】
なお、回収順序決定部１１３と紛失検知部１１２は情報処理装置１０２内の別々のブロックとして表現されているが、ソフトウェアとして実現される場合、単一のプログラムであってよい。
【００７７】
Ｂ−２．第２実施形態の動作（その１）
次に、第２実施形態によるデータ回収について説明する。ここで、図７は、本第２実施形態によるデータ回収の手順を説明するフローチャートである。紛失検知部１１２が紛失状態を検出すると、情報処理装置１０２は、電池残量計測部１０８を用いて、電池１１０の残り電力量を取得する（ステップＳ２０）。次に、消費電力量テーブル１０４を参照し、データ保持部１１６に格納されているデータに対して回収に必要な電力量の推定値を計算する（ステップＳ２２）。
【００７８】
次に、計算された電力量とデータに付加された価値評価指標とを元に、回収順序を決定する（ステップＳ２４）。回収順序の決定方法としては、電池の残り電力量を容量、消費電力量を重さ、データに付けられた金額を価値としてナップザック問題を解くことにより順序付けを行う。なお、単純に電力量当りの価値の高い順に並べてもよい。
【００７９】
次に、決定された回収順序に従って、順序付けられたデータのうち、先頭のものを１つ取得する（ステップＳ２６）。次に、先頭データをデータ保持部１１６から取り出し、データ送信部１０９を通じて他の端末に送信する（ステップＳ２８）。次に、価値情報保持部１１５の回収フラグをクリアすることで、送信が完了したデータを回収対象から除外する（ステップＳ３０）。この際、送信が完了したデータをデータ保持部１１６から削除してもよい。
【００８０】
次に、電池の残り電力量の実際の値（電池残量計測部１０８による電池の残容量）と予測値（消費電力量テーブル１０４から得られる電池の残容量）との差が一定以上を超えているかを判定する（ステップＳ３２）。そして、一定以上を超えていた場合には、ステップＳ２４と同様に、回収順序を再計算する（ステップＳ３４）。次に、価値情報保持部１１５を参照し、回収対象となっているデータがまだ存在するか否か、すなわち回収対象のデータを全て送信したか否かを判定する（ステップＳ３６）。そして、未送信のデータが存在する場合には、ステップＳ２６へ戻り、回収処理を継続する。この場合、再計算した回収順序に従ってデータを送信する。
【００８１】
一方、一定以上を超えていなかった場合には、直接、価値情報保持部１１５を参照し、回収対象となっているデータがまだ存在するか否か、すなわち回収対象のデータを全て送信したか否かを判定し（ステップＳ３６）、未送信のデータが存在する場合には、ステップＳ２６へ戻り、回収処理を継続する。
【００８２】
また、いずれの場合でも、未送信のデータが存在しない場合には、回収の終了を、データ送信部１０９を通じて他の端末に通知して当該処理を終了する（ステップＳ１８）。終了通知には、送信されたデータの一覧等の回収処理に関わる情報が含まれる。
【００８３】
Ｂ−３．第２実施形態の動作（その２）
上述した第２実施形態によるデータ回収は、図８に示すフローチャートに従って行ってもよい。まず、消費電力量テーブル１０４を参照し、データ保持部１１６に格納されているデータに対して回収に必要な電力量の推定値を計算し（ステップＳ４０）、次いで、電池残量計測部１０８を用いて、電池１１０の残り電力量を取得する（ステップＳ４２）。次に、電池１１０の残り電力量の範囲内で送信可能な、回収に必要な電力量当りの価値評価指標（単価）の最も高いデータを１つ選択し（ステップＳ４４）、選択したデータをデータ保持部１１６から取り出し、データ送信部１０９を通じて他の端末に送信する（ステップＳ４６）。
【００８４】
次に、価値情報保持部１１５を更新することで、送信が完了したデータを回収対象から除外する（ステップＳ４８）。この際、送信が完了したデータをデータ保持部１１６から削除してもよい。次に、価値情報保持部１１５を参照し、回収対象となっているデータがまだ存在するか否か、すなわち回収対象のデータを全て送信したか否かを判定する（ステップＳ５０）。そして、未送信のデータが存在する場合には、ステップＳ４２へ戻り、回収処理を継続する。
【００８５】
一方、未送信のデータが存在しない場合には、回収の終了を、データ送信部１０９を通じて他の端末に通知して当該処理を終了する（ステップＳ５２）。終了通知には、送信されたデータの一覧等の回収処理に関わる情報が含まれる。
【００８６】
Ｃ．第３実施形態
次に、本発明の第３実施形態について説明する。
Ｃ−１．第３実施形態の構成
図９は、本発明の第３実施形態による携帯端末装置の構成を示すブロック図である。なお、図１に対応する部分には同一の符号を付けて説明を省略する。図９において、入力部１０１は、ユーザが操作を行うためのものである。表示部１０３は、ユーザに情報を提示するためのものである。価値情報設定部１１１は、画像等の、データ作成あるいは保存時に自動的に価値を決定することが困難なデータに対する価値評価指標の設定を行う。具体的には、電子マネー等の金銭価値を持つデータについては、残高に基づき価値評価指標を付加する。購入したデータについては、購入時の金額あるいは、時価に基づき価値評価指標を付加する。価値評価指標の入力結果は、二次記憶装置１０５内の価値情報保持部１１５に保存される。
【００８７】
なお、価値情報設定部１１１と回収順序決定部１１３と紛失検知部１１２は、情報処理装置１０２内の別々のブロックとして表現されているが、ソフトウェアとして実現される場合、単一のプログラムであってよい。また、本第３実施形態におけるデータ回収の手順は、第２実施形態におけるデータ回収の手順と同様であるので説明を省略する。
【００８８】
以下、画像等の、データ作成あるいは保存時に自動的に価値を決定することが困難なデータに対する価値評価指標の設定手順を、データの一覧表示画面から金額の設定を行う場合と、回収に必要な電力量当りの価値評価指標である単価の高い順にデータを順位付けし表示した優先順位一覧表示画面から設定を行う場合とについて説明する。
【００８９】
まず、データの一覧表示画面から金額の設定を行う手順を、図１０を参照して詳細に説明する。図１０は、データの一覧表示画面から金額の設定を行う際の表示部１０３に表示される画面の一連の遷移を示す模式図である。図１０（ａ）に示す画面３１１には、データに付けられた名前の一覧が示されており、ユーザは、入力部１０１を用いてカーソル３１２（反転表示された矩形領域）を操作することにより、価値評価指標を付加するデータを選択する。選択後、図１０（ｂ）に示す、次の画面３２１に遷移する。
【００９０】
画面３２１には、選択されたデータに対する操作の一覧３２２が示されており、入力部１０１を用いてカーソル３２３を操作することにより、選択されたデータに対して価値評価指標を付ける（値段を付ける）ことを指示する。指示後、図１０（ｃ）に示す、次の画面３３１に遷移する。
【００９１】
画面３３１には、価値評価指標の入力画面が示されており、ユーザは、入力部１０１を用いて数値入力欄３３３に数値を入力することで金額の設定を行う。この際、既に回収対象となっているデータの各々に対して、データに対する操作（閲覧・背景画像設定・名称変更等）の回数を操作の種別毎に集計した値を算術的に処理した操作指標を求め、操作指標当りの価値評価指標の平均に、選択されたデータの操作指標を乗算した値を数値入力欄３３３の規定値として、入力に先立ち設定する。決定を指示することで、図１０（ｄ）に示す、次の画面３４１に遷移する。画面３４１には、価値評価指標設定後の優先順位の一覧が示されており、ユーザは、価値評価指標を設定したデータと他のデータとの相対的な関係を確認することができる。
【００９２】
次に、優先順位一覧表示画面から金額の設定を行う手順を、図１１を参照して詳細に説明する。図１１は、優先順位一覧表示画面から金額の設定を行う際の表示部１０３に表示される画面の一連の遷移を示す模式図である。図１１（ａ）に示す画面４１１には、データの優先順位の一覧が価値評価指標（単価）と共に示されており、ユーザは、入力部１０１を用いてカーソル４１２を操作することにより、優先順位を変更するデータを選択する。選択後、図１１（ｂ）に示す、次の画面４２１に遷移する。
【００９３】
画面４２１には、選択したデータに対する操作の一覧４２２が示されており、ユーザは、入力部１０１を用いてカーソル４２３を操作することにより、選択したデータに対して優先順位を変更する操作を行うことを指示する。指示後、図１１（ｃ）に示す、次の画面４３１に遷移する。
【００９４】
画面４３１には、データの優先順位の一覧が単価と共に示されており、ユーザは、入力部１０１を用いてカーソル４３２を操作することにより、選択したデータをどの位置に挿入するかを決定する。同時に、上記優先順位リストの順序を保つように挿入したデータ４４２の単価が決定される。単価は、回収に必要な電力量当りの価値評価指標であるため、単価を変更することで価値評価指標も変化する。ここでは、挿入したデータの前後のデータの単価の平均を、挿入したデータの単価としている。決定後、図１１（ｄ）に示す、次の画面４４１に遷移する。画面４４１には、価値評価指標設定後の優先順位の一覧が示されており、ユーザは、選択したデータと他のデータとの相対的な関係を確認することができる。
【００９５】
次に、優先順位一覧表示画面から金額の設定を行う手順の他の例を、図１２を参照して詳細に説明する。図１２（ａ）に示す、画面５１１には、データの優先順位の一覧が単価と共に示されており、各データは、数直線５１６上の単価を示す線５１２〜５１５と関連付けられている。ユーザは、入力部１０１を用いてカーソル５１７を操作することにより、単価を示す線５１２〜５１５の内から１つ（５１４）を選択する。選択後、ユーザは、入力部１０１を操作することにより、単価を示す線５１４を数直線５１６上で移動させることで、単価を調節する。図１１（ｂ）に示す、画面５２１に、単価を示す線５１４を数直線５１６上で４０の位置に移動させた場合の結果を示す。単価は、回収に必要な電力量当りの価値評価指標であるため、単価を変更することで価値評価指標も変化する。
【００９６】
なお、上記説明では、画像データを例として説明したが、音声・テキスト等の他の種別のデータについても同様に行う。
【００９７】
Ｄ．第４実施形態
次に、本発明の第４実施形態について説明する。本第４実施形態は、基本的には第３実施形態と同様であるが、携帯端末装置内のデータに対して操作を行う際に、価値情報保持部１１５に保持される価値評価指標と回収フラグとを更新する機能を付加したものである。以下、この機能について具体的な例を挙げて説明する。
【００９８】
携帯端末装置内のデータを、電子メールによって他の端末に送信する操作を行った際、携帯端末装置の外部に複製ができるため、宛先に応じて価値評価指標を減じるか、回収指定を解除する等の処理を行う。例えば、宛先からユーザ所有のメールボックスであると判断できる場合には、データを回収対象から除き、一方、宛先から相手側の端末が他の携帯端末装置であると判断できる場合には、データの価値評価指標を予め決められた値、または割合で減じる等の処理を行うか、あるいはデータに対する操作を行った際に、実行すべき処理を、ユーザに選択させてもよい。
【００９９】
送信媒体は、必ずしも電子メールでなくてもよく、例えば携帯端末装置とＰＣとを通信ケーブルを用いて直接接続してデータ授受する方法であってもよい。この場合、相手は、一意に特定可能であり、ＰＣに転送したデータについては回収指定を自動的に解除する。ＰＣ以外にも、不揮発性メモリ等、着脱可能な媒体を用いたデータの複製でもよい。
【０１００】
また、データが参照されたとみなせる操作を行った場合には、価値評価指標を参照された回数や参照された時間に応じて増やしたり、回収対象にしたりするなどの処理を行う。データが参照されたとみなせる操作としては、テキスト・画像等のデータの閲覧を行う、音声データを再生する、画像データを壁紙として設定・表示する、音声データを電子メールや通話の着信時に再生する設定を行う・再生する、等がある。
【０１０１】
Ｅ．第５実施形態
次に、本発明の第５実施形態について説明する。
Ｅ−１．第５実施形態の構成
図１３は、本発明の第５実施形態による携帯端末装置の構成を示すブロック図である。なお、図１に対応する部分には同一の符号を付けて説明を省略する。図１３において、回収用データ作成部１１４は、データ保持部１１６に格納されたデータの代わりに、データを回収対象とすることをユーザが指示したとき、電池１１０が充電状態にあるときなどに、回収する回収用データを携帯端末装置の紛失に備えて事前に作成する。その際、優先順位の高いデータを優先して回収用データを作成してもよい。
【０１０２】
価値情報保持部１１５は、データ保持部１１６に格納されているデータに対する、価値に関するメタデータを保持するテーブルであり、図１４に示すように、回収対象であるデータ毎に、データ名、データ種別、回収対象とするか否かを示す回収フラグ、価値評価指標、サイズ、圧縮パラメータから構成されている。
【０１０３】
また、消費電力量テーブル１０４は、図１５に示すように、データ種別、基本電力量、サイズ当り電力量、回収用データ作成にかかる電力量（展開）、回収用データ作成にかかる電力量（圧縮）から構成されている。なお、回収に要する電力量は、基本電力量と、サイズ当り電力量に回収用データの容量を乗算した値と、回収用データ作成にかかる電力量（展開）に元データの容量を乗算した値と、回収用データ作成にかかる電力量（圧縮）に回収用データの容量を乗算した値との和とする。また、消費電力量テーブル１０４の保持する基本電力量、サイズ当り電力量の値は、無線通信手段の通信路の状態が良好であると仮定するなど、一定の条件の下で測定した場合の値である。そのため、計算に先立ち、消費電力量テーブル１０４の値に、通信路の品質に応じて係数を乗算しておく。
【０１０４】
また、回収用データ保持部１１７は、上記データ保持部１１６に格納されたデータの代わりに、回収用データ作成部１１４で作成された、回収する回収用データを保持する記憶領域である。
【０１０５】
なお、価値情報設定部１１１と回収用データ作成部１１４と回収順序決定部１１３と紛失検知部１１２は情報処理装置１０２内の別々のブロックとして表現されているが、ソフトウェアとして実現される場合、単一のプログラムであってよい。
【０１０６】
Ｅ−２．第５実施形態の動作
次に、第５実施形態による動作について説明する。なお、本第５実施形態によるデータ回収は、前述した第２実施形態のデータ回収（図７）と同様であるが、ステップＳ２８における回収処理を、図１４に示す処理で置き換える点が異なる。図１６は、本第５実施形態による回収処理の手順を説明するフローチャートである。
【０１０７】
本第５実施形態において、回収処理が実行されると、回収用データ作成部１１４は、回収用データ作成設定がオンになっているか否かを判断する（ステップＳ６０）。そして、回収用データの作成設定がオンになっていなければ、前述した第２実施形態と同様に、決定された回収順序に従って、データ保持部１１６に保持されているデータを、データ送信部１０９を通じて他の端末に送信する（ステップＳ６６）。
【０１０８】
一方、回収用データ作成設定がオンになっている場合には、回収用データ保持部１１７に回収用データが既に存在するか否かを判断し（ステップＳ６２）、既に回収用データが存在する場合には、前述した第２実施形態と同様に、決定された回収順序に従って、回収用データ保持部１１７に保持されているデータを、データ送信部１０９を通じて他の端末に送信する（ステップＳ６６）。
【０１０９】
一方、回収用データが存在しない場合には、回収用データを作成する（ステップＳ６４）。例えば、既に圧縮がなされているデータの場合、圧縮データをメモリ上に展開し、価値情報保持部１１５を参照して得られる圧縮パラメータ（解像度・圧縮率等）で再度圧縮し、送信対象とする。その後、決定された回収順序に従って、回収用データ保持部１１７に保持されているデータを、データ送信部１０９を通じて他の端末に送信する（ステップＳ６６）。
【０１１０】
Ｆ．第６実施形態
本発明の第６実施形態は、基本的には第３実施形態と同様であるが、送信部（無線通信手段）１０９を通じて送信を行う際にかかるコストに応じた値を価値評価指標から差し引いた値に基づいて、データの価値を評価することを特徴とする。具体的には、データ送信に要するコストを予測し、該予測したコストに基づいて算出した値を、価値情報保持部１１５の価値評価指標から減じてから、図７または図８に示すデータの回収処理を行う。
【図面の簡単な説明】
【０１１１】
【図１】本発明の第１実施形態による携帯端末装置の構成を示すブロック図である。
【図２】本第１実施形態による価値情報保持部１１５のデータ構成を示す概念図である。
【図３】本第１実施形態によるデータ回収の手順を説明するフローチャートである。
【図４】本発明の第２実施形態による携帯端末装置の構成を示すブロック図である。
【図５】本第２実施形態による価値情報保持部１１５のデータ構成を示す概念図である。
【図６】本第２実施形態による消費電力量テーブル１０４のデータ構成を示す概念図である。
【図７】本第２実施形態によるデータ回収の手順（その１）を説明するフローチャートである。
【図８】本第２実施形態によるデータ回収の手順（その２）を説明するフローチャートである。
【図９】本発明の第３実施形態による携帯端末装置の構成を示すブロック図である。
【図１０】本第３実施形態において、データの一覧表示画面から金額の設定を行う際の表示部１０３に表示される画面の一連の遷移を示す模式図である。
【図１１】本第３実施形態において、優先順位一覧表示画面から金額の設定を行う際の表示部１０３に表示される画面の一連の遷移を示す模式図である。
【図１２】優先順位一覧表示画面から数値入力バーを用いて金額の設定を行う際の表示部１０３に表示される画面の模式図である。
【図１３】本発明の第５実施形態による携帯端末装置の構成を示すブロック図である。
【図１４】本第５実施形態による価値情報保持部１１５のデータ構成を示す概念図である。
【図１５】本第５実施形態による消費電力量テーブル１０４のデータ構成を示す概念図である。
【図１６】本第５実施形態による回収処理の手順を説明するフローチャートである。
【符号の説明】
【０１１２】
１０１  入力部
１０２  情報処理装置
１０３  表示部
１０４  消費電力量テーブル（消費電力量保持手段）
１０５  二次記憶装置
１０６  データ受信部
１０７  紛失検知センサ（紛失検出手段）
１０８  電池残量計測部（電池残量計測手段）
１０９  データ送信部（送信手段）
１１０  電池
１１１  価値情報設定部（価値情報設定手段）
１１２  紛失検知部（紛失検出手段）
１１３  回収順序決定部（回収順序決定手段）
１１４  回収用データ作成部（回収用データ作成手段、圧縮手段）
１１５  価値情報保持部（価値情報保持手段）
１１６  データ保持部（記憶手段）
１１７  回収用データ保持部（回収用データ保持手段）
【図１】
2006174072.tif 000003
【図２】
2006174072.tif 000004
【図３】
2006174072.tif 000005
【図４】
2006174072.tif 000006
【図５】
2006174072.tif 000007
【図６】
2006174072.tif 000008
【図７】
2006174072.tif 000009
【図８】
2006174072.tif 000010
【図９】
2006174072.tif 000011
【図１０】
2006174072.tif 000012
【図１１】
2006174072.tif 000013
【図１２】
2006174072.tif 000014
【図１３】
2006174072.tif 000015
【図１４】
2006174072.tif 000016
【図１５】
2006174072.tif 000017
【図１６】
2006174072.tif 000018